(57)【要約】【課題】　回転清掃体を回転させる専用のモータ及び動力伝達機構をもたない軽くてコンパクトな吸込口体を提供する。【解決手段】　掃除機本体と連通する吸込口本体の被掃除面側に集塵用の開口部を形成し、吸込口本体内に回転清掃体を配設し、この回転清掃体は前記開口部に臨んで配設され、回転中心となる軸芯部の周りに回転半径方向に延びるとともに被掃除面に当たると撓んで被掃除面を払拭清掃するブレードを設け、吸込口本体に空気導入口を形成して、この空気導入口から導入された空気をブレードに当てて回転清掃体を回転させる。【選択図】　図１
2004000771.tif 000002
【特許請求の範囲】
【請求項１】
　掃除機本体と連通する吸込口本体の被掃除面側に集塵用の開口部が形成され、前記吸込口本体内に回転清掃体が配設された電気掃除機の吸込口体において、
　前記回転清掃体は、前記開口部に臨んで配設され、回転中心となる軸芯部の周りに、回転半径方向に延びるとともに被掃除面に当たると撓んで被掃除面を払拭するブレードを有し、
　前記吸込口本体に空気導入口を前記開口部とは別に形成し、
　前記空気導入口から導入された空気を前記ブレードに当てて前記回転清掃体を回転させることを特徴とする電気掃除機の吸込口体。
【請求項２】
　掃除機本体と連通する吸込口本体と、
　この吸込口本体内に設けられ被掃除面側に集塵用の開口部を形成した吸込室と、
　前記開口部に臨んで前記吸込口本体の左右幅方向に延び両端部が支持されて前記吸込室に回転自在に配設された回転清掃体とを備えた電気掃除機の吸込口体において、
　前記吸込室に空気を導入する空気導入口を前記開口部とは別に設け、
　回転中心となる前記回転清掃体の軸芯部に、左右方向に連続するとともに弾性を有するブレードを形成し、
　前記回転清掃体は前記空気導入口から導入された空気を前記ブレードに当てることにより回転するとともに、この回転により前記ブレードは、このブレードの先端部が被掃除面に接触することにより撓みながら被掃除面の塵埃を掻き上げることを特徴とする電気掃除機の吸込口体。
【発明の詳細な説明】
【技術分野】
【０００１】
　本発明は，電気掃除機の吸込口体に関するものである。
【背景技術】
【０００２】
　従来、電気掃除機の吸込口体には図７、図８に示す吸込口体が知られている。この吸込口体１は、図示しない掃除機本体に連通する延長管に接続され、掃除機本体の集塵ファンの吸引力により、吸込口体１の底面部２の開口部３から集塵するものである。吸込口体１は中空体とされており、内部に回転清掃体４を備えている。回転清掃体４の両端部には風を受けて回転清掃体４自身を回転するファン５がそれぞれ設けられており、吸込口体１の前壁部１Ｆの左右には、ファン５に空気を送るための開口部６が形成されている。吸込口体１の底面部２の前後左右には清掃床面とのクリアランスを形成するための車輪７が設けられている。
【０００３】
　回転清掃体４には軸芯部８から回転半径方向に真っ直ぐ伸びる平らなブレード９が突設されている。回転清掃体４はファン５の回転により回転するもので、掃除機本体の集塵ファンの吸引力により前壁部１Ｆの開口部６、６から空気が吸込口体１内に導入され、ファン５が開口部６からの空気を受けて回転し、ファン５と一体に取り付けられた軸芯部８及びブレード９が回転するようになっている。
【０００４】
　また、特許文献１には、電動送風機の排気風を環流気管を用いて塵埃を吸気する吸気口側に環流させ、この排気風によって、床面を叩打するための回転体を回転させるものが記載されている。このものは、吸込気管と環流気管とを仕切る壁によって、吸気口とは仕切られた室内に回転体が配設されている。
【特許文献１】特開平３−１６２８１４号公報
【発明の開示】
【発明が解決しようとする課題】
【０００５】
　しかしながら、図７、図８に示した従来の電気掃除機の吸込口体は、回転清掃体４のファン５が回転清掃体４の両端部に設けられるため、吸込口体１の左右幅に較べて回転清掃体４の左右幅の寸法が小さくなり、吸込口体１の左右端における集塵能力が低下する問題がある。また、ファン５を別途に成形して軸芯部８に取り付けるため、組立工程や成形工程が附加されるため、製造コストが上昇するという問題もある。
【０００６】
　また、特許文献１のものは、電動送風機の排気風を利用することに着目されたものであるから、回転体を回転させるためには環流気管を設けなければならない。特にキャニスタ型の電気掃除機では、ホース、延長管等を介して掃除機本体に吸込口体が接続されるために、環流気管を掃除機本体、延長管、ホース、吸込口体の各々に設けなければならず、構造が極めて複雑となるという問題がある。更に、回転体は吸気口とは仕切られた室内に設けられているので、回転体により叩き出された塵埃が効率よく吸気口から吸引されないという問題があった。
【０００７】
　本発明は、このような問題に着目してなされたものであり、回転清掃体の左右幅寸法の狭小化を防止しつつ、回転清掃体専用のモータ及び動力伝達機構をもたない軽くてコンパクトな吸込口体とすると共に、簡単な構成で吸込口体の回転清掃体の回転機能を向上でき、集塵効率を向上できる電気掃除機の吸込口体を提供することを目的とする。
【課題を解決するための手段】
【０００８】
　上記課題を解決するために、掃除機本体と連通する吸込口本体の被掃除面側に集塵用の開口部が形成され、前記吸込口本体内に回転清掃体が配設された電気掃除機の吸込口体において、前記回転清掃体は、前記開口部に臨んで配設され、回転中心となる軸芯部の周りに、回転半径方向に延びるとともに床面に当たると撓んで床面を払拭するブレードを有し、前記吸込口本体に空気導入口を前記開口部とは別に形成し、この空気導入口から導入された空気を前記ブレードに当てて前記回転清掃体を回転させることを特徴とするものである。
【発明の効果】
【０００９】
　本発明によれば、空気導入口から導入される空気を回転清掃体のブレードに向けて吹き付けて回転清掃体を回転させるため、確実に回転清掃体を回転させることができ、吸込口体の左右幅近くまで有効掻き出し部を確保できることとなる。従って、吸込口体の回転清掃体の回転による集塵機能を向上できる。さらに、回転清掃体専用のモータ及び動力伝達機構をもたない軽くてコンパクトな吸込口体とすることができ、低コストであると共に、使用者において使用しやすい吸込口体を提供することができる。
【発明を実施するための最良の形態】
【００１０】
　電気掃除機の吸込口体において、吸込口本体に形成した空気導入口から導入される空気をブレードに当てて回転清掃体を回転させることにより、前記の効果を実現したものである。
【実施例１】
【００１１】
　次に、本発明の第１の実施形態にかかる電気掃除機の吸込口体を図面に基づいて説明する。
【００１２】
　図１は、第１の実施の形態にかかる電気掃除機の吸込口体の断面構成を示している。吸込口本体１０は上部がシェル状のハウジング１０ａで構成され、ハウジング１０ａの下方に底面部を形成するハウジング１０ｂが取り付けられている。ハウジング１０ａ、１０ｂは中空体を構成しており、底面部側のハウジング１０ｂの被掃除面と対向する側には、図２に示すように、集塵用の開口部１２が形成されている。吸込口本体１０の後部の筒部１０ｃには延長管が着脱される接続管１１が設けられている。
【００１３】
　吸込口本体１０内には、吸込室Ｒが形成され、吸込室Ｒ内に開口部１２に臨んで吸込口本体１０の左右幅方向に延びる回転清掃体１３が配設されている。回転清掃体１３は回転することにより被掃除面である床面ＦＬから塵埃や汚れを掻き落としながら集塵する。ハウジング１０ｂの開口部１２は回転清掃体１３の輪郭相当大の形状を有している。また、回転清掃体１３は、その両端部が吸込口本体１０に設けられた図示しない軸受けにより、回転自在に支持されており、吸込口本体１０の左右幅は回転清掃体１３と両軸受けの間の幅にほぼ等しい。
【００１４】
　回転清掃体１３には、床面ＦＬを払拭する左右両端部まで延びるブレード１４が備えられており、吸込口本体１０の床面ＦＬに対向する面以外の壁面部、ここではハウジング１０ａの前面部１０Ｆに、回転清掃体１４のブレード１４に空気を当てて回転清掃体１３を回転させる空気導入口１５が開口されている。
【００１５】
　空気導入口１５の吸込口本体１０内側にはブレード１４に風を効率よく当てるためのガイド壁１５ａが形成されている。この空気導入口１５は、図３に示すように、ブレード１４の左右幅相当並びに開口部１２の左右幅の大きさに形成され、ブレード１４の左右幅全体に空気を当ててブレード１４を回転できるようになっている。
【００１６】
　ブレード１４は、先端部が回転方向の後方に向いており、この実施の形態では、ブレード１４は回転方向先行側に凸となるような円弧状の断面形状を有している。ブレード１４は、基部１４ａから先端部１４ｂにかけて先端部１４ｂが基部１４ａより回転方向後方に位置すれば、ほぼ直線的な断面であっても良い。また、ブレード１４は軸芯部１６にほぼ平行に平坦に伸びており、螺旋状にはなっていない。ブレード１４は、ここでは合成ゴムなどの弾性を有するエラストマを素材としているが、軟質で耐擦過傷性のあるプラスチックによって一体に成形し、内部に軸芯部１６を装着している。
【００１７】
　ブレード１４は、回転方向先行側が凸となるように、即ち、空気導入口１５と対向する側に凹となるように円弧状に湾曲しているため、床面ＦＬに当たると撓みやすいが、空気導入口１５から空気が導入されるときに、空気が当たることによっては撓みにくくなっていて確実に回転清掃体１４を回転させることができる。
【００１８】
　また、掃除機本体に吸込口本体１０を接続し、吸込口本体１０を床面ＦＬにおくと、車輪１７により、床面ＦＬとハウジング１０ｂとの間に狭い隙間１８ができ、この隙間１８から空気が吸引されて開口部１２に入り込むが、隙間１８が狭いために、床面ＦＬが回転清掃体１３による掻き上げがより必要な絨毯の時は掃除機本体から空気を吸引すると、開口部１２が床面ＦＬで塞がれて、吸込室Ｒの負圧が高くなり、空気導入口１５から空気が増加する。
【００１９】
　空気導入口１５の左右幅がブレード１４の左右幅相当の寸法で形成されているので、空気を吸込む風圧の力を受ける面積が大きくとられており、さらに、空気導入口１５の上下の幅が狭いので、吸引される空気の流速は高速化されるため、空気導入口１５からの導入空気がブレード１４に当たると、回転清掃体１３がいきおい良く回転し、床面ＦＬを払拭清掃する。
【００２０】
　吸込口本体１０が床面ＦＬから離れると、吸込室Ｒの空気圧が大気圧と同じになるので、空気導入口１５から空気吸引が減少して回転清掃体１３の回転が停止或いは低下する。なお、回転清掃体１３が空気により回転するとき、ブレード１４の先端部１４ｂが回転方向の後方に向いているので、軸芯部１６から回転半径方向に直立する場合よりも床面ＦＬとの接触面積が広くなり、集塵効果或いは掻き出し効果が向上する。
【実施例２】
【００２１】
　次に、図５，図６により、本発明の第２の実施形態にかかる電気掃除機の吸込口体について説明する。
【００２２】
　図５，図６に示される吸込口体２０の上部は、シェル状のハウジング２１で構成され、ハウジング２１の下方に底面部を形成するハウジング２２がネジなどによって取り付けられている。ハウジング２１，２２は中空体を構成しており、底面部側のハウジング２２には、集塵用の開口部２３が形成されている。吸込口体２０の後部の筒部２４には延長管が着脱される接続管２５が設けられている。
【００２３】
　吸込口体２０内には、吸込室２６が形成され、吸込室２６内に開口部２３に臨んで吸込口体２０の左右幅方向に延びる回転清掃体２７が配設されている。回転清掃体２７は回転することにより被掃除面である床面２８から塵埃や汚れを掻き落としながら集塵する。ハウジング２２の開口部２３は回転清掃体２７の平面形状相当の形状を有している。尚、回転清掃体２７の左右幅方向長さは第１の実施例と同様である。
【００２４】
　回転清掃体２７は、軸芯部２９と、ブレード３０並びにファン３１とが一体的に形成された筒部３２とを有する。床面２８を払拭するブレード３０とファン３１は筒部３２と一体に形成されており、筒部３２は軸芯部２９の周囲に固着されている。ブレード３０とファン３１は、筒部３２と一体的に形成されることにより、軸芯部２９への固着が容易になっていると共に、ファン３１の受けた空気による回転力がブレード３０に伝達されやすくなっている。
【００２５】
　ブレード３０は、先端部が回転方向の後方に向いており、この実施の形態では、ブレード３０は円弧状の断面形状を有しているが、先端部３０ａが基部３０ｂより回転方向Ａの後方に位置すれば、ブレード３０の断面形状はほぼ直線的な断面であっても良い。また、ブレード３０は螺旋状ではなく軸芯部３２にほぼ平行に平坦に伸びている。
【００２６】
　また、ブレード３０の回転半径方向の長さは、ファン３１の回転半径方向の長さより長く設定され、ファン３１の先端部はハウジング２２の開口部２３から床面２８に当たらないようになっている。
【００２７】
　ブレード３０には図６に示すように例えば矩形の開口３３が形成されている。この開口３３は、ハウジング２１の前壁部の空気導入口３４から導入される空気を、ファン３１に当ててファン３１に回転力を与えるものである。
【００２８】
　ブレード３０はファン３１より撓み易い材質で形成され、床面２８に当たると撓んで床面２８を払拭しやすく出来ているが、断面形状が円弧状に湾曲しているため、空気導入口３４から導入される空気によっては撓みにくくなっている。ファン３１及び筒部３２は堅い材質で形成されている。ファン３１の肉厚はブレード３０の肉厚より厚く形成され、ブレード３０よりも硬いものとされている。ブレード３０の素材は、通常、例えば合成ゴムなどのエラストマにより構成されているが、軟質で耐擦過傷性のあるプラスチックによって一体に成形されていても良い。ファン３１の樹脂としては、例えばＰＰ、ＡＢＳ等を挙げることが出来る。ブレード３０とファン３１、筒部３２が異なる材質である場合に、これらを一体に成形するには、例えば、筒部３２及びファン３１を硬質の樹脂で形成した後に、筒部３２及びファン３１から成る素体をインサート成形金型にセットして、ブレード３０の部分を後から成形する。筒部３２とファン３１とを形成するときに、ブレード３０を一体に固着する突起部を筒部３２の周囲に予め成形しても良い。また、ブレード３０とファン３１を同材で形成する場合、ファン３１の厚さを厚くしてブレード３０より撓み難くすることも可能である。
【００２９】
　ブレード３０に形成された開口３３は、空気導入口３４から回転清掃体２７に巻き込まれる気流Ｂの通路に位置するように形成され、ファン３１に効率よく空気を当て得るように設けられている。空気導入口３４の外側には筒状のガイド壁３５が形成されている。空気導入口３４のガイド壁３５は、回転清掃体２７の回転方向Ａに沿って順方向に空気を送るようになっており、回転するファン３１の後方側から回転前方側に向かって空気を導入するように形成されている。また、この実施の形態では、筒部２４の軸方向とガイド壁３５の向きがほぼ同じ向きに向けられ、筒部２４の断面内部若しくは近傍に空気導入口３４が位置しているので、空気導入口３４から吸引される空気が直線的に筒部２４内部に吸引され、抵抗が少ないようになっているので、空気導入口３４からの空気の吸引効率が向上するようになっている。
【００３０】
　この空気導入口３４は、図３に示すように、ブレード３０の左右幅相当並びに開口部２３の左右幅の大きさに形成され、これによってブレード３０及びファン３１の左右幅全体に空気を当てることができ、回転清掃体２７が回転できるようになっている。
【００３１】
　なお、この実施の形態では、空気導入口３４の空気は吸込口体２０の周囲にある大気を吸引するようになっているが、排気風すなわち掃除機本体の集塵バック後方の集塵ファンから排出される空気の一部を、接続管を介して空気導入口３４に導いても良い。
【００３２】
　この吸込口体２０においては、掃除機本体に吸込口体２０を接続し、吸込口体２０を床面２８におくと、車輪３６により、床面２８とハウジング２２との間に狭い隙間３７ができる。吸込口体２０の吸引を始めると、隙間３８から空気が吸引されて開口部２３に入り込むが、隙間３７が狭いために、空気導入口３４から導入される空気が増加して、ファン３１に当たる。また、空気導入口３４の上下の幅が狭いので、吸引される空気の流速は高速化されるため、空気導入口３４からの導入空気がファン３１に当たると、回転清掃体２７がいきおい良く回転するため、ブレード３０の清掃能力が向上する。他方、吸込口体２０が床面２８から離れると、吸込室２６の空気圧が大気圧と同じになるので、空気導入口２３から空気吸引が減少して回転清掃体２７の回転が低くなる。
【００３３】
　尚、上記各実施の形態では、ホース・延長管などを介して掃除機本体に接続されるものについて説明したが、アップライト型、或いはハンディ型等の電気掃除機に適用することも可能である。
【図面の簡単な説明】
【００３４】
【図１】本発明の第１の実施の形態の吸込口体の断面図である。
【図２】図１の吸込口体の底面部側の形状を示す図である。
【図３】図１の吸込口体の前面部に形成された空気導入口の形状を示す図である。
【図４】図１の吸込口体の斜視図である。
【図５】本発明の第２の実施の形態の吸込口体の断面図である。
【図６】図５の回転清掃体のブレードに設けられた開口部の形状を示す部分拡大図である。
【図７】従来のファン付の回転清掃体を備えた吸込口体の底面図である。
【図８】従来の吸込口体の前面部を示す正面図である。
【符号の説明】
【００３５】
　　１０、２０　　吸込口本体
　　１２、２３　　開口部
　　１３、２７　　回転清掃体
　　１４、３０　　ブレード
　　１５、３４　　空気導入口
　　１６、２９　　軸芯部
　　ＦＬ、２８　　床面（被掃除面）
【図１】
2004000771.tif 000003
【図２】
2004000771.tif 000004
【図３】
2004000771.tif 000005
【図４】
2004000771.tif 000006
【図５】
2004000771.tif 000007
【図６】
2004000771.tif 000008
【図７】
2004000771.tif 000009
【図８】
2004000771.tif 000010